(57)【要約】  水上に脂肪、油、及びグリース（Ｆ．Ｏ．Ｇ．）層を有する装置は、入口及び出口を有するタンクを含む。入口は、Ｆ．Ｏ．Ｇ．含有廃液の源に接続し、出口は、出口がタンク中のＦ．Ｏ．Ｇ．及び廃液についての基準静止水位を規定するように下水管に接続する。基準静止水位より上に装着されたセンサーは、タンク中のＦ．Ｏ．Ｇ．の厚さが決定されることができるようにセンサーからタンク内のＦ．Ｏ．Ｇ．の上部までの距離を決定する。もしセンサーがＬＩＤＡＲであるなら、感知は、約９４０ｎｍであることができる。Ｆ．Ｏ．Ｇ．が閾値を越えることを感知されるなら、装置は、Ｆ．Ｏ．Ｇ．を除去するために信号を発生する。超音波感知が使用されることができる。【選択図】  図１
2021501346.tif 000002
【特許請求の範囲】
【請求項１】
水上にＦ．Ｏ．Ｇ．層を含有させるための装置であって、
入口及び出口を有するタンクであって、入口が、Ｆ．Ｏ．Ｇ．含有廃液の源に接続するように構成され、出口が、出口がタンク中のＦ．Ｏ．Ｇ．及び廃液についての基準静止水位を規定するように下水管に接続するように構成される、タンク；及び
基準静止水位より上に装着されたセンサーであって、タンク中のＦ．Ｏ．Ｇ．の厚さが決定されることができるようにセンサーからタンク内のＦ．Ｏ．Ｇ．の上部までの距離を決定するように構成されたセンサー
を含む装置。
【請求項２】
センサーが、ＬＩＤＡＲセンサーである、請求項１に記載の装置。
【請求項３】
センサーが、約９４０ｎｍで作動するＬＩＤＡＲセンサーである、請求項１に記載の装置。
【請求項４】
センサーが、磁石によって適所に保持される、請求項１に記載の装置。
【請求項５】
タンクが、タンクの主本体の上に延長カラーを有し、センサーが、延長カラーに装着されている、請求項１に記載の装置。
【請求項６】
延長カラーが、略円筒形であり、ロトモールド法によるプラスチックから成形された円弧部分から形成される、請求項５に記載の装置。
【請求項７】
センサーが、延長カラーの下部に装着されたセンサーユニット、及び延長カラーのより高い部分に装着された電池及び電子ユニットを含む、請求項５に記載の装置。
【請求項８】
電子ユニットが、タンク中のＦ．Ｏ．Ｇ．レベルを示す信号を送るための送信器を含む、請求項７に記載の装置。
【請求項９】
センサー及び電池及び電子ユニットが、コイル状電気コードによって連結され、点検修理のために延長カラーを通って上方にセンサーを引っ張るために十分な引張強度を有するつなぎ具が、延長カラーまで延びている、請求項７に記載の装置。
【請求項１０】
タンクが、タンク頂部、タンク頂部によって支持されかつ上方に延びる延長カラー、及び延長カラーの上に載る延長頂部を有し、
延長頂部、延長カラー、及びタンク頂部が、整合した開口を有し、それは、吸引管がＦ．Ｏ．Ｇ．の吸引のために整合した開口を通過することを可能にし、
吸引が必要とされないときには整合した開口を閉じるようにカバーが延長頂部における開口の上に嵌合する、請求項１に記載の装置。
【請求項１１】
センサーが、コンピュータービジョンを使用して作動する、請求項１に記載の装置。
【請求項１２】
電子ユニット、及び基準静止水位からの逸脱を処理するように構成された電子ユニットと関連するデータ分析モジュールを含む、請求項１に記載の装置。
【請求項１３】
センサーが、超音波センサーである、請求項１に記載の装置。
【請求項１４】
入口及び出口を有するタンク中のＦ．Ｏ．Ｇ．レベルを感知する方法であって、入口が、Ｆ．Ｏ．Ｇ．含有廃液の源に接続するように構成され、出口が、出口がタンク中のＦ．Ｏ．Ｇ．及び廃液についての基準静止水位を規定するように下水管に接続するように構成され、方法が、基準静止水位より上の位置に固定されるセンサーと、タンク内の基準静止水位より上のＦ．Ｏ．Ｇ．の頂部との間の距離を感知すること、及び感知した距離を使用してタンク中のＦ．Ｏ．Ｇ．の量がタンクからのＦ．Ｏ．Ｇ．除去を保証する閾値を越えているかどうかを決定することを含む、方法。
【請求項１５】
Ｆ．Ｏ．Ｇ．除去は、スキマーを作動することを含む、請求項１４に記載の方法。
【請求項１６】
Ｆ．Ｏ．Ｇ．除去は、タンクからＦ．Ｏ．Ｇ．をポンピングすることを含む、請求項１４に記載の方法。
【請求項１７】
感知は、ＬＩＤＡＲ感知である、請求項１４に記載の方法。
【請求項１８】
感知は、約９４０ｎｍでのＬＩＤＡＲ感知である、請求項１４に記載の方法。
【請求項１９】
基準静止水位からの逸脱を処理するためにセンサーと基準静止水位との間の距離についてのデータを分析することをさらに含む、請求項１４に記載の方法。
【請求項２０】
感知は、コンピュータービジョン感知である、請求項１４に記載の方法。
【請求項２１】
感知は、超音波感知である、請求項１４に記載の方法。
【発明の詳細な説明】
【背景技術】
【０００１】
歴史的に、グリーストラップ（ｇｒｅａｓｅ  ｔｒａｐｓ）は、脂肪（ｆａｔｓ）、油（ｏｉｌ）及びグリース（ｇｒｅａｓｅ）（Ｆ．Ｏ．Ｇ．）、及び廃水を介して下水システム中に運ばれる固形廃棄物の量を制限するためにレストラン及び他の商業施設で使用されている。典型的なグリーストラップは、受動型グリーストラップ又は自動型グリーストラップ（グリースセパレーター又はインターセプターとも称される）のいずれかである。受動型トラップの例は、「Ｐａｓｓｉｖｅ  Ｇｒｅａｓｅ  Ｔｒａｐ  Ｕｓｉｎｇ  Ｓｅｐａｒａｔｏｒ  Ｔｅｃｈｎｏｌｏｇｙ」という名称のＢａｔｔｅｎらによる米国特許第７３６７４５９号、及び「Ｐａｓｓｉｖｅ  Ｇｒｅａｓｅ  Ｔｒａｐ  Ｗｉｔｈ  Ｐｒｅ−Ｓｔａｇｅ  Ｆｏｒ  Ｓｏｌｉｄｓ  Ｓｅｐａｒａｔｉｏｎ」という名称のＢａｔｔｅｎらによる米国特許第７６４１８０５号に開示されたＡｓｈｅｂｏｒｏ，Ｎ．Ｃ．のＴｈｅｒｍａｃｏによって販売されるトラップのＴｒａｐｚｉｌｌａ（登録商標）ラインである。Ｔｈｅｒｍａｃｏはまた、自動型グリースセパレーターのＢｉｇ  Ｄｉｐｐｅｒ（登録商標）ラインを提供する。受動型グリーストラップは、通常、Ｆ．Ｏ．Ｇ．を定期的になくすだけであり、それゆえＦ．Ｏ．Ｇ．は、タンクの内側に築き上げられる傾向を持つ。受動型グリーストラップは、典型的に、廃水を取り入れる入口、及びタンクの低い地点からタンクの外に水を運ぶ出口を有するタンクを含む。軽量のＦ．Ｏ．Ｇ．は、タンクの上に上昇し、重い固形物は、タンクの底に沈降し、階層を作る。タンク中に蓄積するＦ．Ｏ．Ｇ．の量が過剰になると、タンク内の水の洗い流しは、既に分離されたＦ．Ｏ．Ｇ．を崩壊し、それは、Ｆ．Ｏ．Ｇ．が水に混入されることを起こし、家庭雑排水と共に追い出される。これは、タンクがＦ．Ｏ．Ｇ．で満たされているときに特に当てはまり、従ってＦ．Ｏ．Ｇ．／水の界面は、グリーストラップの底により近い。グリースインターセプターはまた、階層化を使用し、インターセプター中のグリースマットの厚さがあるレベルに達すると、スキミングが必要とされる。
【０００２】
蓄積したＦ．Ｏ．Ｇ．を除去するためにグリースインターセプターにおいてスキマーを作動するタイミング、又は受動型グリーストラップをポンプで排水するタイミングを決定することは、業界において問題であった。典型的には、安全サイドであるためには、グリーストラップ及び他の受動型分離装置は、スケジュール（例えば月一回又は二週間ごとに一回）に基づいてポンピングされている。もしポンピングが起こるときにＦ．Ｏ．Ｇ．があまり多く蓄積しなかったら、より多くの時間が経過した後でポンピングを行なうことができたはずであるので、ポンピングは、無駄になりうる。もしトラップがポンピングされる前に極めて多くのＦ．Ｏ．Ｇ．が蓄積するなら、そのときＦ．Ｏ．Ｇ．が家庭雑排水に再び連行されるようになり、下水管に放出され、Ｆ．Ｏ．Ｇ．分離の目的を達成できない危険がある。スキミングするときにも同様の問題が、能動型グリースセパレーター又はインターセプターにおいて起こる。
【０００３】
「Ｆ．Ｏ．Ｇ．Ｓｅｐａｒａｔｏｒ  Ｃｏｎｔｒｏｌ」という名称のＢａｔｔｅｎらによる米国特許第７８２８９６０号に教示されるように、セパレーター容器に貯蔵されるＦ．Ｏ．Ｇ．の量を決定するためにセパレーター中に熱電対又は他の温度センサーを設けることが知られており、その開示全体は、参考としてここに組み入れられる。
【０００４】
センサーを使用せずに層状にされたＦ．Ｏ．Ｇ．マットを除去するタイミングを決定する問題に対処する他の方法は、米国特許公開ＵＳ−２０１５−０３０８０９４−Ａｌに開示され、その開示全体は、参考としてここに組み入れられる。
【０００５】
Ｋｉｎｇｓｐａｎ  Ｅｎｖｉｒｏｎｍｅｎｔａｌ  Ｓｅｒｖｉｃｅ，１８０  Ｇｉｌｆｏｒｄ  Ｒｏａｄ，Ｐｏｒｔａｄｏｗｎ，Ｃｏ．Ａｒｍａｇｈ．，Ｎｏｒｔｈｅｒｎ  Ｉｒｅｌａｎｄ  ＢＴ６３  ５ＬＦは、Ｋｉｎｇｓｐａｎ  ＳｅｎｓｏｒのＳｍａｒｔ  Ｓｅｒｖ  Ｇｒｅａｓｅ  ｓｏｌｕｔｉｏｎを提供し、それは知られていない技術のセンサーを使用する。
【０００６】
廃水及び／又はＦ．Ｏ．Ｇ．に浸漬される容量センサーのようなセンサーは、バイオフィルム構築によることを含むファウリングの問題に遭遇し、従って浸漬を回避することが有益である。
【０００７】
Ｆ．Ｏ．Ｇ．マットが、ポンピング又はスキミングによるＦ．Ｏ．Ｇ．除去が保証される閾値に到達するタイミングを信頼性高く感知することができる必要性が業界に残ったままである。
【発明の概要】
【０００８】
本発明は、入口及び出口を有するタンクを含む、水上にＦ．Ｏ．Ｇ．層を含有させるための装置を提供することによって業界のこれらのニーズの一つ以上を満たす。入口は、Ｆ．Ｏ．Ｇ．含有廃液の源に接続するように構成され、出口は、出口がタンク中のＦ．Ｏ．Ｇ．及び廃液についての基準静止水位を規定するように下水管に接続するように構成される。静止水位より上に装着されたセンサーは、タンク中のＦ．Ｏ．Ｇ．の厚さが決定されることができるように、センサーからタンク内のＦ．Ｏ．Ｇ．の上部までの距離を決定するように構成される。
【０００９】
センサーは、約９４０ｎｍで作動するＬＩＤＡＲセンサーのようなＬＩＤＡＲセンサーであることができる。センサーは、磁石によって適所に保持されることができる。
【００１０】
タンクは、タンクの主本体の上に延長カラーを有し、センサーが、延長カラーに装着されることができる。延長カラーは、略円筒形であり、ポリエチレンのような熱可塑性プラスチックから成形された四つの円弧部分から形成されることができる。
【００１１】
センサーは、延長カラーの下部に装着されたセンサーユニット、及び延長カラーのより高い部分に装着された電池及び電子ユニットを含むことが好ましい。電子ユニットは、タンク中のＦ．Ｏ．Ｇ．レベルを示す信号を送るための送信器を含むことが好ましい。センサー及び電池及び電子ユニットは、コイル状電気コードによって連結され、点検修理のために延長カラーを通って上方にセンサーを引っ張るために十分な引張強度を有する別個のつなぎ具（ｔｅｔｈｅｒ）が、延長カラーまで延びることができる。
【００１２】
一つの実施形態では、タンクは、タンク頂部、タンク頂部によって支持されかつ上方に延びる延長カラー、及び延長カラーの上に載る延長頂部を有する。延長頂部、延長カラー、及びタンク頂部は、整合した開口を有し、それは、吸引管がＦ．Ｏ．Ｇ．の吸引のために整合した開口を通過することを可能にする。吸引が必要とされないときには整合した開口を閉じるようにカバーが延長頂部における開口の上に嵌合する。
【００１３】
本発明はまた、入口及び出口を有するタンク中のＦ．Ｏ．Ｇ．レベルを感知する方法であって、入口が、Ｆ．Ｏ．Ｇ．含有廃液の源に接続するように構成され、出口が、出口がタンク中のＦ．Ｏ．Ｇ．及び廃液についての基準静止水位を規定するように下水管に接続するように構成される。前記方法は、固定されたセンサーと、タンク内の基準静止水位より上のＦ．Ｏ．Ｇ．の上部からの距離を感知すること、及び感知した距離を使用してタンク中のＦ．Ｏ．Ｇ．の量がタンクからのＦ．Ｏ．Ｇ．除去を保証する閾値を越えているかどうかを決定することを含む。
【００１４】
Ｆ．Ｏ．Ｇ．除去は、スキマーを作動することを含むことができる。Ｆ．Ｏ．Ｇ．除去は、タンクからＦ．Ｏ．Ｇ．をポンピングすることを含むことができる。感知は、ＬＩＤＡＲ感知、特に約９４０ｎｍでのＬＩＤＡＲ感知であることができる。
【図面の簡単な説明】
【００１５】
本発明は、図面のレビューとともに本発明の実施形態の詳細な説明を読むことによってより良く理解されるだろう。
【００１６】
【図１】図１は、本発明によるセンサーを備えた受動型グリーストラップの透視図である。
【００１７】
【図２】図２は、図１の実施形態のためのセンサーハウジングの上面透視図である。
【００１８】
【図３】図３は、図１の実施形態のためのセンサーハウジングの底面透視図である。
【００１９】
【図４】図４は、第二実施形態の部分的な断面図である。
【００２０】
【図５】図５は、第二実施形態の部分的な分解断面図である。
【００２１】
【図６】図６は、第二実施形態のためのセンサー及び電子集成体の部分図である。
【００２２】
【図７】図７は、第二実施形態による受動型グリーストラップのためのカバーの底面図である。
【発明を実施するための形態】
【００２３】
Ｆ．Ｏ．Ｇ．は、約０．８８の比重を有し、水は、１．００の比重を有し、従ってトラップに構築されたＦ．Ｏ．Ｇ．の１０インチごとに、Ｆ．Ｏ．Ｇ．は、８．８インチの水を排除する一方で、元の基準静止水位より１．２インチ上に上方に同時に突出する。出願人は、この知られた特異的な特性、及び液位より上に位置されたセンサーからＦ．Ｏ．Ｇ．層の上部までの知られた距離を使用することによって、どのくらい多くのＦ．Ｏ．Ｇ．がトラップ中に存在するかの決定をなすことができることを見出した。
【００２４】
様々なセンサー技術を使用することができ、例えばレーザーセンサー（ゴルフ距離測定器及び工業用途実施者のために人気）及び超音波センサー（工業及びホビー用途のロボットで人気）がある。好適な超音波センサーは、非接触式であり、かつ非浸漬式であり、表面までの距離だけを見定めるために音の跳ね返りを見る。超音波センサーは、センサー及びセル方式の電子部品を含む延長カラーの頂部に位置される電子モジュールであることができる。センサー及びセル方式の電子部品を単一モジュールに置くことは、コストを低減し、センサー電子部品などを、含有されるＦ．Ｏ．Ｇ．及び廃水の近くの高い温度及び湿度領域の外に保つ。モジュラーセル方式のアプローチを使用することは、様々な無線サービスプロバイダー及び標準規格の中で変化することを可能にする。超音波変換器及び温度プローブ（例えば熱電対）は、延長カラーの底部にあることができる。超音波変換器は、９０℃（１９４°Ｆ）と見積られる温度であることができ、いずれかの長さの３又は４電線シールドケーブルを使用することができる。変換器装着は、高い温度及び湿度環境の性能要求に依存して、標準（下方に面する）又は９０度回転（デフレクターが水平に面する）であることができる。超音波信号は、潜在的に有害な熱及び湿度の源から離れた変換器から水平に発生され、次いでデフレクターによってＦ．Ｏ．Ｇ．層へと下方に向けられることができる。超音波送信器及び受信器は、分離されることができる。空気中の音のスピードは、温度とともに変化するので、温度センサーは、温度変化によって起こされる超音波信号の進行時間の変化を補償することができる。超音波信号は、他の浮遊物体とＦ．Ｏ．Ｇ．を見分けるために動的利得分析に供されることができる。
【００２５】
好適な超音波センサーは、Ｓｅｎｉｘ  Ｃｏｒｐｏｒａｔｉｏｎ，１０５１６  Ｒｏｕｔｅ  １１６，Ｓｕｉｔｅ  ３００，Ｈｉｎｅｓｂｕｒｇ，Ｖｅｒｍｏｎｔ  ０５４６１米国から入手可能であることができる。
【００２６】
ソナーセンサーを使用することができるが、防水性で高い十分な測距範囲を持ち、湿度を考慮しながら高い十分な精度を持つソナーセンサーは高価であるので、現在好まれない。コンピュータービジョンは、別の選択であることができる：Ｆ．Ｏ．Ｇ．層の上面に向けられたビデオセンサーは、画像を捕獲することができ、電子ユニットと関連したコンピューターは、その画像を、水が最小Ｆ．Ｏ．Ｇ．で基準静止水位にあるときに同じ場面で撮られた画像と比較することができる。コンピュータービジョン（及び／又は人工知能）は、次いでＦ．Ｏ．Ｇ．が蓄積したときの画像を比較することによって高さ差を検出することができる。装置が「見る」トラップの内側の壁が少ないほど、蓄積されたＦ．Ｏ．Ｇ．によって起こされるタンクの内側の液位が高いことを意味する。
【００２７】
一つのセンサー選択は、ＬＩＤＡＲ、特に約９４０ｎｍ波長で作動するＬＩＤＡＲを使用する。
【００２８】
センサー技術は、センサー、制御板、ソフトウェア制御、及びハウジングを含む。耐湿性は、包囲ハウジング又はコンフォーマルコーティングによってセンサー技術に付与されることができる。
【００２９】
センサーは、液面から３００ｍｍ〜１０００ｍｍ上に位置されることができ、センサーと液面の間の距離は、空気で満たされる。センサーは、延長カラーの上に、又は水より上のＦ．Ｏ．Ｇ．の層が生じるタンクもしくはトラップの上部カバー（マンホールカバーのようなもの）の下側につるされるか／取り付けられることができる。
【００３０】
図１は、センサー技術を備えたセパレーターの実施形態１０を示す。タンク１２は、入口１４及び出口（図示せず）を有する。出口の高さは、通常、基準静止水位を規定する。入口１４は、Ｆ．Ｏ．Ｇ．（及びおそらく固形の台所廃棄物）を含有する廃水を受ける。タンク１２は、密度の低いＦ．Ｏ．Ｇ．が廃水中の水の上に上昇し、タンク１２内のマットを形成するために収集するための時間を有するように廃水流れを遅くするために十分な体積を有する。出口は、通常、逆アーチ（ｉｎｖｅｒｔ）を与えられ、従ってタンク１２から出る水は、蓄積されたＦ．Ｏ．Ｇ．マットの下で、タンクの下部にある水から来る。タンク１２は、レストランの駐車場にあるように、地面の下に設置されることができる。広げられたタンク頂部１６は、環形状の蓋１８及び延長カラー２０を支持する。カラー２０は、頂部環２２及び地面アクセスカバー３０を支持する。地下マウントのための延長カラーは、Ｂａｔｔｅｎらの米国特許第７５４０９６７号及びＭｃＢｒｉｄｅらの米国特許第９５２８２５８号にさらに開示され、それらの特許の両方の開示は、参考としてここに組み入れられる。
【００３１】
管２６は、地面のすぐ下の電子ユニット２８と蓋１８における開口２４の間で延びる。電子ユニット２８には、管２６の底部に位置されかつタンク１２中へと下方に向けられたセンサーハウジング３２中のセンサーからのデータを分析するための電子部品が含まれる。電子ユニット２８は、電池（又は他の電力源）、及び携帯電話接続、ＷｉＦｉ，ＮＦＣ，Ｂｌｕｅｔｏｏｔｈ（登録商標）などの通信リンクを含むことができ、従ってグリースマットについての情報は、ポンピングサービスに送られ、タンクの外にポンピングすることができる。センサーから収集された情報は、ポンパーに、又は国際特許公開ＷＯ２０１７／０３５２２０（この開示全体は、参考としてここに組み入れられる）に開示されるような技術を使用する監視ステーションに送信されることができる。
【００３２】
ポンピングは、蓋３０を除去し、吸引ホースをタンク中に延ばし、Ｆ．Ｏ．Ｇ．をタンク１２からＦ．Ｏ．Ｇ．を輸送するトラックに、化製場に、又は他の廃棄設備にポンピングすることを含む。ポンピングはまた、タンクの底に蓄積した固形物をポンピングすることを含む。
【００３３】
センサーハウジング３２は、図２及び３で見られる。ハウジング３２は、蓋１８の高さのまわりの棚部に載るように管の上部から下げられて、管２６内に嵌合する。蓋１８の適所に固定された強磁性金属、及びセンサーハウジング３２の磁石４２Ａ，４２Ｂ及び４２Ｃは、蓋の固定された位置でハウジングを保持する。固定された位置は、センサーのための基準点を設定し、従ってＬｉｄａｒセンサー又は超音波センサーのようなセンサーの光線によって横断される距離は、センサーの既知の位置からＦ．Ｏ．Ｇ．マットの上部の変動可能な高さまでの飛行の往復時間を測定することによって決定されることができる。Ｌｉｄａｒセンサー４０は、ハウジング３２中に位置され、取り付けられたコイル状のデータ及び電力ケーブル３４を持つ。同様の装着は、超音波センサーのために使用されることができる。ハウジング３２は、取り付け具３６及び接続つなぎ具３８を持つ。つなぎ具は、上方に引っ張られるのに十分な強さがあり、もしサービス補修が必要ならハウジング３２が磁石を振り離し、管２６を通って上方に引っ張られることを可能にする。
【００３４】
センサー４０は、タンク１２中へと下方にパルスを向け、パルスは、タンク内のＦ．Ｏ．Ｇ．によって反射される。センサーによるパルスの送信とセンサーによる反射されたパルスの受けとりの間の時間間隔は、センサーからＦ．Ｏ．Ｇ．マットの上部までの距離に比例する。その時間間隔を示すデータは、分析のために電子ユニット２８に送られる。
【００３５】
Ｌｉｄａｒデータの分析は、タンクが測定した飛行時間からゼロＦ．Ｏ．Ｇ．マット（それは、記憶された値であることができる）を有するときに飛行時間を差し引くことを含むことができる。もし結果がタンクの特性である閾値を越えるなら、データは、Ｆ．Ｏ．Ｇ．マットがポンピングが保証されるのに十分な厚さであることを示し、従ってタンクをポンピングしに来るようにポンピングサービスに信号が送られることができる。もしデータが、マット厚さが大きすぎることを示すなら、緊急警告が、ポンピングサービスへの信号に加えられることができる。また、本発明の範囲内では、もしＦ．Ｏ．Ｇ．マットがポンピングを保証するために十分な厚さでないことを決定されるなら、ポンピングが必要ないという信号を電子ユニットが送信する。同様の分析は、超音波センサーでも使用されることができる。
【００３６】
Ｆ．Ｏ．Ｇ．厚さの感知は、ポンピング又は他の除去が必要とされるタイミングの連続的な監視を与えるために連続的に繰り返されることができる。厚さを感知するスケジュールは、設備の必要性に依存して、一日に一回、一週間に一回、又は他のスケジュールであることができる。感知は、遠隔通信源からの信号によって、又は電子ユニット２８の内部のタイマーもしくは他の機構によって発動されることができる。
【００３７】
図４〜７は、代替実施形態を示し、それは、延長カラーの構成及びセンサーハウジングのための管構成において異なる。図４では、タンク１１２の下方部分は、省かれている。タンク１１２は、入口１１４及び出口（図示せず）を有する。入口は、Ｆ．Ｏ．Ｇ．（及びおそらく固形台所廃棄物）を含む廃水を受ける。タンク１１２は、廃水の流れを遅くするために十分な体積を有し、従って密度の低いＦ．Ｏ．Ｇ．は、廃水中の水の上に上昇し、収集されてタンク１１２内にマットを形成する。出口は、通常、逆アーチを与えられ、従ってタンク１１２から出る水は、蓄積されたマットの下で、タンクの下部にある水から来る。タンク１１２は、レストランの駐車場にあるように、地面の下に設置されることができる。広げられたタンク頂部１１６は、環形状蓋１１８、及び円弧部分１２０，１２１から作られた延長カラーを支持する。カラーは、上部環１２２及び地面アクセスカバー１３０を支持する。
【００３８】
延長カラーは、鉛直方向のフルーティング又は波形を有する略円筒形形状を形成するように一緒に連結する四つの押出部分（円弧）から作られる。押出部分は、配送のために分解され、円筒を作るために現場組立される。カラーは、三つの同一円弧１２０及び第四の円弧１２１を含む。円弧１２１は、それがセンサー集成体のための管１２６を持つ点で三つの円弧１２０とは異なる。隣接する円弧の縁は、舌部及び溝構成のような連結で互いに接合する。
【００３９】
管１２６はまた、管の整合のためにその上下で一緒に部分を連結する。円弧の組み立ての後、カラーは、適当な長さに切断される。希望の長さは、設備のために特有のものであるが、蓋１１８の上面からカバー１３０を支持する上部環１２２を受けるための高さ（典型的には地面レベル）まで及ぶのに十分であるだろう。カバー１３０は、上部環の上の適所にボルト締めされることができ、従ってそれは、センサーユニットのＦ．Ｏ．Ｇ．のポンピング又はサービスのために除去可能である。
【００４０】
管１２６は、その底部の下にステンレス鋼又は他の強磁性金属環１４３（図５参照）を有し、センサーハウジング１３２内の磁石１４２への磁力のためにタンク頂部１１８に固定される。ハウジング１３２は、円筒形電子ユニット１２８に延びるコイル状のデータ及び電力ケーブル１３４を有する。ハウジング１３２上の環１２９は、それが管１２６において希望の高さで、一般的に環１２９の上の電子ユニットの部分を有する上部環１２２の上に静止される。その高さは、カバー１３０によってカバーされかつ保護されることができるように十分に短い。携帯電話接続、ＷｉＦｉ，ＮＦＣ，Ｂｌｕｅｔｏｏｔｈ（登録商標）などのためのアンテナは、電子ユニット１２８の上に位置され、それ自体の上部は、上部環１２２に形成された空間１３１内に組み込まれる。
【００４１】
Ｌｉｄａｒユニット（センサー及び電子ユニット）は、それが新しいものと取り換えられるか又は後日改造されるとき、ユニットで配送されることができる。いったん上部カバー１３０が除去されると、Ｌｉｄａｒユニットの上部は、電池交換のようなサービスのためにその管１２６から引っ張られることができる。図１の実施形態のつなぎ具３８のようなケーブル類は、センサーを管１２６まで引っ張るために使用されることができる。Ｌｉｄａｒを、それを備えていないユニットに設置するために、上部カバーが除去され、管が露出される。センサーハウジング１２３は、管１２６中に下げられ、管１２６の底部の磁石１４２によってステンレスワッシャー１４３の上の適所に保持される。
【００４２】
中〜遠赤外線範囲の波長を有するＬｉｄａｒセンサーは、油がそれらの波長の放射線を吸収するので好ましくないことが見出された。
【００４３】
好ましいＬＩＤＡＲセンサーは、ＶＬ５３Ｌ０Ｘ  Ｌｉｄａｒチップのために９４０ｎｍで作動する。ＶＬ５３Ｌ０Ｘは、新世代の飛行時間（ＴｏＦ）レーザー測距モジュールである。それは、２ｍまでの絶対距離を測定することができる。別の使用可能なチップは、ＶＬ５３Ｌ１であり、それは、飛行時間（ＴｏＦ）レーザー測距小型センサーである。このチップは、ＳＰＡＤ（単一光子アバランシェダイオード）アレイ、物理赤外線フィルター及び光学系を統合する。両センサーは、スイス、ジュネーブのＳＴＭｉｃｒｏｅｌｅｃｔｒｏｎｉｃｓ  ＮＶ（ｓｔ．ｃｏｍ）から入手可能である。ＶＬ５３Ｌ０Ｘは、水位を正確に読めないが、それは、トラップ中の液体の表面に油の膜が少なくとも存在しない唯一の時間が、ユニットが最初に設置されるときであるので、重要ではない。
【００４４】
コンバーター回路の使用は、Ｉ２Ｃ信号を長い通信距離の別のデジタル信号に変換するために必要とされることができる。
【００４５】
ＶＬ５３Ｌ０Ｘチップは、油を扱うときに極めて短い距離を有するので、静止水位から約１０インチ上に装着されることが好ましい。管中のセンサー及びその電子部品をトラップの主要な中央開口から離れて装着すると、ポンパーの吸引設備がそれと衝突しうる危険を低減する。
【００４６】
同様の装着及び分析は、超音波センサーで使用されることができる。超音波変換器及び温度プローブ（例えば熱電対）は、延長カラーの底部にあることができる。超音波変換器は、９０℃（１９４°Ｆ）と見積られる温度であることができ、いずれかの長さの３又は４電線シールドケーブルを使用することができる。変換器装着は、高い温度及び湿度環境の性能要求に依存して、標準（下方に面する）又は９０度回転（デフレクターが水平に面する）であることができる。超音波信号は、潜在的に有害な熱及び湿度の源から離れた変換器から水平に発生され、次いでデフレクターによってＦ．Ｏ．Ｇ．層へと下方に向けられることができる。超音波送信器及び受信器は、分離されることができる。空気中の音のスピードは、温度とともに変化するので、温度センサーは、温度変化によって起こされる超音波信号の進行時間の変化を補償するために使用されることができる。超音波信号は、他の浮遊物体からのＦ．Ｏ．Ｇ．を見分けるために動的利得分析に供されることができる。好適な超音波センサーは、Ｓｅｎｉｘ  Ｃｏｒｐｏｒａｔｉｏｎ，１０５１６  Ｒｏｕｔｅ  １１６，Ｓｕｉｔｅ  ３００，Ｈｉｎｅｓｂｕｒｇ，Ｖｅｒｍｏｎｔ  ０５４６１米国から入手可能であることができる。
【００４７】
感知システムがＦ．Ｏ．Ｇ．除去のための能動的スキミングを使用する自動型グリーストラップ又はインターセプターに設置されるとき、Ｆ．Ｏ．Ｇ．層の厚さが閾値を越えることの感知は、スキミングを活性化するために使用されることができる。本願で使用される「スキミング（ｓｋｉｍｍｉｎｇ）は、Ｆ．Ｏ．Ｇ．を上部からとる他の方法を含み、その方法としては、Ｆ．Ｏ．Ｇ．を廃出する開口スパウト（例えば米国特許第７１８６３４６号参照）、Ｆ．Ｏ．Ｇ．のポンピング（例えば米国特許第６５１７７１５号参照）、又は他の能動的な方法を含む。Ｆ．Ｏ．Ｇ．除去装置のより多くの例及び詳細は、Ｂａｔｔｅｎらの米国特許第６８００１９５号及びＢａｔｔｅｎらの米国特許第７２０８０８０号に見出されることができ、それらはともに、それらの全体を参考としてここに組み入れられる。他のタイプのスキマーは、本発明においても使用されることができるが、それは、ベルトスキマー（その例は、Ｃｈａｐｉｎの米国特許第７４２７３５６号及びＷｅｙｍｏｕｔｈの第７２９６６９４号で見られる）；部分的に又は完全に沈む一つ以上の回転シリンダーを含むスキマー（一例は、Ｌｏｗｅらの米国特許第４０５１０２４号で示される）；Ｆ．Ｏ．Ｇ．に対する吸収親和性を持つスキマー及び／又は除去のためにＦ．Ｏ．Ｇ．に接触するように旋回する非円筒形グリースコレクターを含むスキマー（一例は、Ｓｈｉｍｋｏの米国特許第４２３５７２６号で示される）を含むが、これらに限定されない。
【００４８】
タンク及びその付属品は、ＩＰ  ６５のＩｎｔｅｒｎａｔｉｏｎａｌ  Ｐｒｏｔｅｃｔｉｏｎ  Ｒａｔｉｎｇを持つことが好ましい。
【００４９】
センサーはまた、従来のコンクリートグリーストラップに設置されることができる。
【００５０】
追加の特徴は、基準静止水位からの逸脱を処理するための電子ユニットと関連したデータ分析モジュールを含むことができる。データ分析は、下流の完全な又は部分的な配管閉塞から作られる水位から基準流れ事象の水位を区別することを含むことができる。Ｆ．Ｏ．Ｇ．の蓄積のような、これらの二つの事象は、基準静止水位（それは、通常、トラップからの出口の高さによって決定される）より高いセンサーの読みをもたらす。基準流れ事象による水位の上昇は、一時的であり、経時的に複数の読みとりを行ない、基準水位にすぐ戻る高い水位を示すものを無視することによって区別されることができる。
【００５１】
下流の閉塞による変化は、より永続的であり、幾つかの読みとりにわたって継続するだろう。Ｆ．Ｏ．Ｇ．蓄積の場合に起こりうるより速く上昇する水位は、下流の閉塞を示し、それは、その潜在的な状態の警告の合図を可能にする。あるいは、もし下流の部分的な閉塞についてのデータが別の源から入手可能であるなら、そのデータは、Ｆ．Ｏ．Ｇ．水位がタンク中でどの程度かの分析に加えられることができ、水位の上昇がＦ．Ｏ．Ｇ．水位の濃厚化でないとして無視されることができる。
【００５２】
特定の修正及び改良は、上記の説明を読めば当業者に思い浮かぶだろう。全てのそのような修正及び改良は、簡潔さのため省略されたが、請求の範囲内で適切になされることができることが理解されるべきである。
【図１】
2021501346.tif 000003
【図２】
2021501346.tif 000004
【図３】
2021501346.tif 000005
【図４】
2021501346.tif 000006
【図５】
2021501346.tif 000007
【図６】
2021501346.tif 000008
【図７】
2021501346.tif 000009
【国際調査報告】
2021501346.tif 000010
2021501346.tif 000011